(57)【要約】      （修正有）【課題】従来よりも開封しやすいフィルム封筒を提供する。【解決手段】本体部２とフラップ部３を備えたフィルム封筒において、フラップ部の端部に強粘着性の接着剤７を塗布し、フラップ部にフラップ部と略同じ長手方向のサイズを有する摘まみ部材５を接着する。摘まみ部材５には弱粘着性の接着剤９を用いてフラップ部に接着された接着部５ｂと、フラップ部に接着されていない摘まみ部５ａとを設け、フラップ部の接着部５ｂが接着された位置にジグザグ線状の切り込み４を形成する。摘まみ部５ａを引っ張ると、フラップ部が切り込みの位置で切断されるので、フィルム封筒を容易に開封することができる。【選択図】図３
0003209088.tif 000002
【実用新案登録請求の範囲】
【請求項１】
袋状の本体部と、
前記本体部と一体に形成され、端部に第１接着剤が塗布されたフラップ部と、
前記フラップ部と略同じ長手方向のサイズを有し、前記フラップ部に接着された摘まみ部材とを備え、
前記摘まみ部材は、
前記フラップ部と略同じ長手方向のサイズを有し、前記第１接着剤よりも弱い粘着性を有する第２接着剤を用いて前記フラップ部に接着された接着部と、
前記フラップ部と略同じ長手方向のサイズを有し、前記フラップ部に接着されていない摘まみ部とを含み、
前記フラップ部は、前記接着部が接着された位置にジグザグ線状の切り込みを有することを特徴とする、フィルム封筒。
【請求項２】
前記摘まみ部は、前記接着部の両側に形成されていることを特徴とする、請求項１に記載のフィルム封筒。
【考案の詳細な説明】
【技術分野】
【０００１】
本考案は、フィルム封筒に関する。
【背景技術】
【０００２】
ダイレクトメール、カタログ、パンフレットなどを送付するときに、ポリプロピレンやポリエチレンなどのフィルムで形成されたフィルム封筒を使用することがある。透明または半透明のフィルム封筒を使用した場合、封筒の受領者は開封前に内容物が何かを認識することができる。このため、フィルム封筒には、受領者が内容物に対して興味を持つ場合が増え、封筒の開封率が高くなるという利点がある。
【０００３】
封筒が開封しにくいと受領者が開封を諦めることがあるので、フィルム封筒には受領者にとって開封しやすいことが必要とされる。一方、開封しやすくするために、フラップ部（封をするときに折り曲げる部分）を本体部に粘着力の弱い接着剤で接着すると、封筒の輸送中に接着部分が剥がれて、内容物が封筒の外部に出てしまうことがある。このためフィルム封筒には、不要なときには勝手に開かないことも必要とされる。
【０００４】
開封しやすくするための機構を有する封筒については、従来から多くの技術が知られている。例えば、特許文献１には、開封時にフラップ部を切断するために、フラップ部に引き裂きテープ、ミシン目、または、弱め線を設けたビニール封筒が記載されている。
【先行技術文献】
【特許文献】
【０００５】
【特許文献１】実開平２−４００４０号公報
【考案の概要】
【考案が解決しようとする課題】
【０００６】
しかしながら、特許文献１に記載されたようにフラップ部に引き裂きテープを設けると、開封後に残った引き裂きテープをゴミとして処理する必要が生じる。また、特許文献１に記載されたようにフラップ部に直線のミシン目や弱め線だけを設けても、フラップ部をその箇所で切断することは実際には容易ではない。
【０００７】
それ故に、本考案は、従来よりも開封しやすいフィルム封筒を提供することを目的とする。
【課題を解決するための手段】
【０００８】
本考案の第１の局面は、フィルム封筒であって、
袋状の本体部と、
前記本体部と一体に形成され、端部に第１接着剤が塗布されたフラップ部と、
前記フラップ部と略同じ長手方向のサイズを有し、前記フラップ部に接着された摘まみ部材とを備え、
前記摘まみ部材は、
前記フラップ部と略同じ長手方向のサイズを有し、前記第１接着剤よりも弱い粘着性を有する第２接着剤を用いて前記フラップ部に接着された接着部と、
前記フラップ部と略同じ長手方向のサイズを有し、前記フラップ部に接着されていない摘まみ部とを含み、
前記フラップ部は、前記接着部が接着された位置にジグザグ線状の切り込みを有することを特徴とする。
【０００９】
本考案の第２の局面は、第１の局面において、
前記摘まみ部は、前記接着部の両側に形成されていることを特徴とする。
【考案の効果】
【００１０】
本考案の第１の局面によれば、開封時に摘まみ部を引っ張ると、フラップ部が切り込みの位置で切断されるので、フィルム封筒を容易に開封することができる。
【００１１】
本考案の第２の局面によれば、開封時にいずれの摘まみ部を引っ張っても、フラップ部を切り込みの位置で切断することができる。
【図面の簡単な説明】
【００１２】
【図１】本考案の実施形態に係るフィルム封筒の全体を示す斜視図である。
【図２】図１に示すフィルム封筒のフラップ部の平面図である。
【図３】図１に示すフィルム封筒の模式断面図である。
【図４】図１に示すフィルム封筒を開封する様子を示す図である。
【考案を実施するための形態】
【００１３】
図１は、本考案の実施形態に係るフィルム封筒の全体を示す斜視図である。図１に示すフィルム封筒１は、ポリプロピレンやポリエチレンなどのフィルムで形成された透明または半透明の封筒である。フィルム封筒１は、袋状の本体部２と、本体部２と一体に形成されたフラップ部３とを有する。フィルムは任意の位置で折り曲げ可能であるので、フィルム封筒１では本体部２とフラップ部３の境界は内容物のサイズなどに応じて決定できる。以下の説明では、フィルム封筒１を図１に一点鎖線で示す示す折り曲げ線Ｌに沿って折り曲げることとし、折り曲げ線Ｌよりも先にある部分をフラップ部３、それ以外の部分を本体部２という。
【００１４】
フラップ部３の形状は長方形である。折り曲げ線Ｌに沿ってフラップ部３を折り曲げることにより、本体部２の開口を閉じ、フィルム封筒１に封をすることができる。フラップ部３にはジグザグ線状の切り込み４が形成され、摘まみ部材５が接着される。摘まみ部材５には、切り込み４の位置を示すマーク６が印刷されている。
【００１５】
図２は、使用前のフィルム封筒１のフラップ部３の平面図である。図２には、フィルム封筒１の左上部分（図１で矢印Ａが指す部分）が記載されている。図３は、フィルム封筒１の模式断面図である。図３（ａ）〜（ｃ）には、それぞれ、封をする前の状態、封をした後の状態、および、開封時の状態が記載されている。以下の説明では、フラップ部３の２枚の面のうち、封をした状態で見える面を「外面」、反対側の面を「内面」という。また、本体部２の２枚の面のうち、封をした状態でフラップ部３の外面と同じ側にある面を「裏面」という。
【００１６】
図３（ａ）に示すように、フラップ部３の内面の端部には所定の幅（例えば、１０ｍｍ未満の幅）で強粘着性の接着剤７が塗布される。また、接着剤７を塗布した部分を覆う離型フィルム８が設けられる。離型フィルム８は、一方の面に離型処理を施したフィルムであり、引っ張ると接着剤７から容易に離れる。離型フィルム８を摘まみやすくするために、離型フィルム８の幅は、接着剤７を塗布した領域の幅よりも１０ｍｍ以上広いことが好ましい。
【００１７】
本体部２に内容物１０を入れて封をするときには、離型フィルム８を取り除き、折り曲げ線Ｌに沿ってフラップ部３を折り曲げて、フラップ部３の内面のうち接着剤７が塗布された部分を本体部２の裏面の対向する部分に密着させる。このとき接着剤７の作用によって、フラップ部３の内面は本体部２の裏面に接着される（図３（ｂ）を参照）。接着剤７は強粘着性を有するので、封をした後に接着部分が剥がれない。したがって、フィルム封筒１が輸送中に勝手に開き、内容物１０がフィルム封筒１の外部に出ることを防止することができる。
【００１８】
封筒の受領者は、フィルム封筒１を開封するときに、接着剤７による接着部分を剥がすのではなく、摘まみ部材５を指で摘まんで所定方向に引っ張ることにより、フラップ部３を切り込み４の位置で切断する（図３（ｃ）を参照）。これにより、受領者はフィルム封筒１を容易に開封することができる。
【００１９】
摘まみ部材５は、例えば、ＰＥＴ（ポリエチレンテレフタラート）などで形成される。摘まみ部材５の長手方向のサイズはフラップ部３の長手方向のサイズに略等しく、摘まみ部材５の短手方向のサイズはフラップ部３の短手方向のサイズよりも短い。フィルム封筒１では、摘まみ部材５の短手方向のサイズは、フラップ部３の短手方向のサイズの約半分である（図１を参照）。摘まみ部材５は、短手方向に３つの部分（第１摘まみ部５ａ、接着部５ｂ、および、第２摘まみ部５ｃ）に分けられる（図２を参照）。接着部５ｂの一方の面は、弱粘着性の接着剤９を用いてフラップ部３の外面に接着される（図３（ａ）を参照）。第１および第２摘まみ部５ａ、５ｃは、フラップ部３に接着されていない。このように摘まみ部材５は、フラップ部３と略同じ長手方向のサイズを有し、弱粘着性の接着剤９を用いてフラップ部３に接着された接着部５ｂと、フラップ部３と略同じ長手方向のサイズを有し、フラップ部３に接着されていない第１および第２摘まみ部５ａ、５ｃとを含む。
【００２０】
切り込み４は、フラップ部３において、接着部５ｂが接着された位置に形成される。切り込み４は、フラップ部３の短手方向の一方の辺から他方の辺まで形成される（図１を参照）。切り込み４は、所定長の線分が所定の角度（以下、ジグザグ角という）で交互に向きを変えて繰り返すジグザグ線状（三角波状）に形成される。ジグザグ角は、３０°以上１５０°以下であることが好ましい。ジグザグ角が小さ過ぎるとフラップ部３を切断したときに小さな屑が発生することがあり、ジグザグ角が大き過ぎるとフラップ部３を切断しにくいからである。フィルム封筒１では、切り込み４のジグザグ角は約６０°である（図２を参照）。
【００２１】
第１摘まみ部５ａに印刷されたマーク６は、切り込み４の位置を示す。マーク６には、矢印と文字列「ＯＰＥＮ」とが含まれる。封筒の受領者は、矢印が指す方向を見てフラップ部３に切り込み４が形成されていることを認識し、文字列「ＯＰＥＮ」を見て開封時には切り込み４を切断すればよいことを理解する。
【００２２】
図４は、フィルム封筒１を開封する様子を示す図である。フィルム封筒１の左上部分について、図４（ａ）には開封前の状態が記載されており、図４（ｂ）には開封時の状態が記載されている。図４（ａ）は図３（ｂ）に対応し、図４（ｂ）は図３（ｃ）に対応する。折り曲げ線Ｌに沿ってフラップ部３を折り曲げた結果、図４では折り曲げ線Ｌは最も上に記載されている。
【００２３】
上述したように、フラップ部３の端部は強粘着性の接着剤７を用いて本体部２の裏面に接着されており、摘まみ部材５の接着部５ｂは弱粘着性の接着剤９を用いてフラップ部３に接着されており、フラップ部３はジグザグ線状の切り込み４を有する。封筒の受領者は、フィルム封筒１を開封するときに、摘まみ部材５の第１摘まみ部５ａを指で摘まみ、切り込み４の方向（接着部５ｂの方向。図４では上方向）に引っ張る。
【００２４】
このとき、フラップ部３のうち、切り込み４よりも本体部側にある部分３ｐは接着剤９に接着したままであるのに対して、切り込み４よりも端側にある部分３ｑは接着剤９から離れ、フラップ部３は切り込み４の位置で２つの部分３ｐ、３ｑに切断される。これにより、受領者は、フィルム封筒１を容易に開封することができる。切り込み４の形状（ジグザク角など）や深さは、受領者が摘まみ部材５を引っ張ったときに、フラップ部３が切り込み４の位置で切断されるように好適に決定される。
【００２５】
なお、受領者は、摘まみ部材５の第１摘まみ部５ａを切り込み４の方向に引っ張るのではなく、摘まみ部材５の第２摘まみ部５ｃを切り込み４の方向に引っ張ることがある。この場合でも、フラップ部３は、同様に切り込み４の位置で本体部側にある部分３ｐと端側にある部分３ｑとに切断される。
【００２６】
以上に示すように、本考案の実施形態に係るフィルム封筒１は、袋状の本体部２と、本体部２と一体に形成され、端部に第１接着剤（強粘着性の接着剤７）が塗布されたフラップ部３と、フラップ部３と略同じ長手方向のサイズを有し、フラップ部３に接着された摘まみ部材５とを備えている。摘まみ部材５は、フラップ部３と略同じ長手方向のサイズを有し、第１接着剤よりも弱い粘着性を有する第２接着剤（弱粘着性の接着剤９）を用いてフラップ部３に接着された接着部５ｂと、フラップ部３と略同じ長手方向のサイズを有し、フラップ部３に接着されていない第１および第２摘まみ部５ａ、５ｃとを含む。フラップ部３は、接着部５ｂが接着された位置にジグザグ線状の切り込み４を有する。したがって、開封時に摘まみ部５ａ、５ｃを所定方向に引っ張ると、フラップ部３が切り込み４の位置で切断される。よって、本実施形態に係るフィルム封筒１によれば、フィルム封筒１を容易に開封することができる。
【００２７】
また、フィルム封筒１では、摘まみ部５ａ、５ｃは接着部５ｂの両側に形成されているので、開封時にいずれの摘まみ部５ａ、５ｃを引っ張っても、フラップ部３を切り込み４の位置で切断することができる。
【００２８】
なお、本考案の実施形態に係るフィルム封筒１については、各種の変形例を構成することができる。例えば、変形例に係るフィルム封筒では、摘まみ部は、接着部の両側ではなく、本体部側だけに設けられていてもよい。変形例に係るフィルム封筒は、不透明であってもよい。変形例に係るフィルム封筒では、フラップ部は、端部が本体部との接続部よりも短い台形形状を有していてもよい。変形例に係るフィルム封筒では、離型フィルムに代えて離型紙を用いてもよい。
【符号の説明】
【００２９】
１…フィルム封筒、２…本体部、３…フラップ部、４…切り込み、５…摘まみ部材、６…マーク、７…強粘着性の接着剤、８…離型フィルム、９…弱粘着性の接着剤、１０…内容物、Ｌ…折り曲げ線
【図１】
0003209088.tif 000003
【図２】
0003209088.tif 000004
【図３】
0003209088.tif 000005
【図４】
0003209088.tif 000006